(57)【要約】【課題】  導光機能を具えた自動車ドア框用マットの提供。【解決手段】  マイクロタイプの発光ダイオードを光源とし、長方形の薄い導光板の両端より光を投射し、導光材料板体の底部に集光反射機能を具えた反射毛面構造が設けられ、該反射毛面が透光板表面の分離した各凸字に対応して反射光を投射し、反射光を表面の凸字に集めさせ、少ない光源で良好な輝度の発光を行ない、装飾性光源とされ並びに自動車ドア框用マットとされて装飾或いは標示作用を提供する。【選択図】        図２
0003103437.tif 000002
【実用新案登録請求の範囲】
【請求項１】
マイクロタイプの発光ダイオードを光源体とし、長方形の薄い導光板に対して両端より光を投射し、導光板の底部に集光反射可能な反射毛面構造が設けられ、光源からの光を屈折し、装飾線光源となし並びに自動車ドア框用マットの装飾或いは標示を行なう導光機能を具えた自動車ドア框用マットにおいて、
自動車ドア框用マットの不透光の表板に所定の文字型穿孔が設けられ、その底面に突出文字型を具えた透光板が設けられ、該突出文字型が並びに不透光の表板の文字型穿孔より突出し、透光板の底部に平らに拡散膜が貼られ、拡散膜の底部に透明材料で形成された導光板が貼り合わされ、導光板の両端に光源体が嵌め込まれ、導光板の底部に突出文字型に対応する分離した反射毛面が設けられ、導光板の下方にあって、シールカバーで上述の導光板、光源体、拡散膜が不透光の表板の底面に封じられ、光源体に車用電源導入後にマットの表板が発光する突出文字型を形成することを特徴とする、導光機能を具えた自動車ドア框用マット。
【請求項２】
請求項１記載の導光機能を具えた自動車ドア框用マットにおいて、透光板の板体下方両端に下向きに突出する位置決めピンが設けられて拡散膜と導光板或いは光源体を順に通り位置決めすることを特徴とする、導光機能を具えた自動車ドア框用マット。
【請求項３】
請求項１記載の導光機能を具えた自動車ドア框用マットにおいて、拡散膜の底面両側にそれぞれ１本の導電材料が設けられ、該導電材料が拡散膜底面を縦貫し、導電材料の両端が導光板両端の光源体の電気接点と導通し、電源が一端の光源体よりもう一端の光源体に導通し、両者の間に電線による接続が不要で、導電材料の両端が導電樹脂で電気的に接続されたことを特徴とする、導光機能を具えた自動車ドア框用マット。
【請求項４】
請求項１記載の導光機能を具えた自動車ドア框用マットにおいて、導光板の底面の突出文字型に対応する位置と形状に、分離した反射毛面が設けられ、該反射毛面が細微な凸粒或いは凹孔が密集して配列されて面状を呈するか、或いは導光インクが導光板底面にスクリーン印刷されてマトリックス状或いは網状を呈するものとされ、並びに反射毛面は光源体に接近する部分ほど毛点が疎で、光源体より離れるほど毛点が密集し、各文字型の輝度の平衡が得られるよう形成されたことを特徴とする、導光機能を具えた自動車ドア框用マット。
【請求項５】
請求項１記載の導光機能を具えた自動車ドア框用マットにおいて、シールカバーは金属板で一体成形され、導光板と同じ形状で僅かに大きい面積の底板を具え、底板の四周が直立する短薄壁とされ、十分に透光板、拡散膜、導光板を包容、固定し、シリコーン樹脂で表板の下方が防水、密封され、シールカバーの底板と短薄壁が導光板外部の反射材料とされて光源の散逸が防止されたことを特徴とする、導光機能を具えた自動車ドア框用マット。
【考案の詳細な説明】
【技術分野】
【０００１】
本考案は一種の導光機能を具えた自動車ドア框用マットに係り、特に、マイクロタイプの発光ダイオードを光源とし、長方形の薄い導光板の両端より光を投射し、導光材料板体の底部に集光反射機能を具えた反射毛面構造が設けられ、該反射毛面が透光板表面の分離した各凸字に対応して反射光を投射し、反射光を表面の凸字に集めさせ、少ない光源で良好な輝度の発光を行ない、装飾性光源とされ並びに自動車ドア框用マットとされて装飾或いは標示作用を提供するものに関する。
【背景技術】
【０００２】
一般に自動車ドア框位置には特に装飾は設けられていない。しかし自動車工業の数十年の発展を経て、性能は大きく進歩したが、全体の美観、質量、配備の面では未だ大きな発展の空間がある。このため少なからぬ自動車メーカーはドア框に装飾を施して、車内に入る前に自動車の豪華な装飾を味わえるようにしている。ドア框用マットの多くはプラスチック、ステンレスで形成され、それに自動車の車名或いはマークが加えられたり、或いは冷光或いはその他の光源でマーク或いは車名に装飾性の発光効果を具備させたものもある。発光については、現在既存の技術として、冷光板（ＥＬ）及び発光ダイオード（ＬＥＤ）を光源とする自動車ドア框用マットがあり、特許文献１は冷光を光源とする自動車ドア框用マットである。冷光を光源とする自動車ドア框用マットが記載されている。
【０００３】
また、発光ダイオードを発光源とする周知の自動車ドア框用マットは図１に示されるようであり、それは、上から下に、表面に文字型穿孔ａ１が設けられた不透光表板ａ、文字型の突出部ｂ１を具えると共に底部に浅溝ｂ２を具え、浅溝ｂ２内に拡散膜ｃが置かれる透光板ｂ、拡散膜ｃ、複数のマイクロタイプ発光ダイオードｆ１を光源とする導光板ｄを具えている。該導光板ｄは導光材料で構成された板体とされ、該板体の底面が導光毛面ｄ１とされ、導光板ｄの下方或いは周囲に反射片ｅが設けられ、該導光板ｄの底面の導光毛面ｄ１は基本的に疎密が漸次変化する凸点或いは凹点で構成される。光源ｆが導光板ｄの側辺に置かれて内側に向けて光を投射すると、光線は透光率の良好な導光板ｄ内で阻止を受けて停滞することがなく、導光毛面ｄ１が光線を収集し並びに上向きに屈折させ、拡散膜ｃ、透光板ｂを通して、表板ａの表面より発光する文字型ｂ１が見える。そのうち、導光板ｄの底部の導光毛面ｄ１は光を屈折するためであり、並びに疎の網点で屈折を減らし、密集した網点で屈折を増す。導光毛面の設計は光源ｆに近いほど疎であり（輝度が高いため必要な屈折光量が少ない）、光源ｆより遠いほど密集する（輝度が低いので必要な屈折光量が大きい）漸次変化方式処理され、全体の導光板が屈折により形成する輝度はほぼ均一な状態となり、これにより、上述の特許文献１の構造が構成されている。
【０００４】
上述の特許文献１の技術は冷光板に代わりノートブック型パソコン、パームトップ型パソコン及び携帯電話等のスクリーンのバックライト技術を自動車ドア框用マットに転用したものであり、何ら技術上の進歩があるものではない。且つそれは全体の導光板に均一な発光の効果を達成させるために、密集する大量の発光ダイオードを使用し、材料コスト面で冷光板より高くつき、且つ組立加工も冷光板よりも複雑であり、実質的な進歩機能はなかった。
【０００５】
【特許文献１】中国実用新案登録出願第９８２２５１４５．９明細書
【考案の開示】
【考案が解決しようとする課題】
【０００６】
本考案は従来の技術の欠点を鑑み、僅かに文字型部分のみに発光が必要であることから、文字型に対応する部分のみに反射毛面を設け（その他のエリアの集光、反射はいずれも遮蔽されるので不必要な光源の浪費に属する）、文字型の実際の面積は導光板体積の３分の１程度であるため、従来のＬＥＤマットと較べて僅かに三分の一の光源（ＬＥＤ）があれば同じ輝度を達成できるようにする。
【０００７】
即ち、本考案は最小のエネルギーで最大の効果を発揮して自動車ドア框用マットに浮き上がった発光体造形装飾を具備させ、従来の冷光及びその他の形式のＬＥＤ発光体構造の代わりに採用されうる導光機能を具えた自動車ドア框用マットを提供することを目的とする。
【課題を解決するための手段】
【０００８】
請求項１の考案は、マイクロタイプの発光ダイオードを光源体とし、長方形の薄い導光板に対して両端より光を投射し、導光板の底部に集光反射可能な反射毛面構造が設けられ、光源からの光を屈折し、装飾線光源となし並びに自動車ドア框用マットの装飾或いは標示を行なう導光機能を具えた自動車ドア框用マットにおいて、
自動車ドア框用マットの不透光の表板に所定の文字型穿孔が設けられ、その底面に突出文字型を具えた透光板が設けられ、該突出文字型が並びに不透光の表板の文字型穿孔より突出し、透光板の底部に平らに拡散膜が貼られ、拡散膜の底部に透明材料で形成された導光板が貼り合わされ、導光板の両端に光源体が嵌め込まれ、導光板の底部に突出文字型に対応する分離した反射毛面が設けられ、導光板の下方にあって、シールカバーで上述の導光板、光源体、拡散膜が不透光の表板の底面に封じられ、光源体に車用電源導入後にマットの表板が発光する突出文字型を形成することを特徴とする、導光機能を具えた自動車ドア框用マットとしている。
請求項２の考案は、請求項１記載の導光機能を具えた自動車ドア框用マットにおいて、透光板の板体下方両端に下向きに突出する位置決めピンが設けられて拡散膜と導光板或いは光源体を順に通り位置決めすることを特徴とする、導光機能を具えた自動車ドア框用マットとしている。
請求項３の考案は、請求項１記載の導光機能を具えた自動車ドア框用マットにおいて、拡散膜の底面両側にそれぞれ１本の導電材料が設けられ、該導電材料が拡散膜底面を縦貫し、導電材料の両端が導光板両端の光源体の電気接点と導通し、電源が一端の光源体よりもう一端の光源体に導通し、両者の間に電線による接続が不要で、導電材料の両端が導電樹脂で電気的に接続されたことを特徴とする、導光機能を具えた自動車ドア框用マットとしている。
請求項４の考案は、請求項１記載の導光機能を具えた自動車ドア框用マットにおいて、導光板の底面の突出文字型に対応する位置と形状に、分離した反射毛面が設けられ、該反射毛面が細微な凸粒或いは凹孔が密集して配列されて面状を呈するか、或いは導光インクが導光板底面にスクリーン印刷されてマトリックス状或いは網状を呈するものとされ、並びに反射毛面は光源体に接近する部分ほど毛点が疎で、光源体より離れるほど毛点が密集し、各文字型の輝度の平衡が得られるよう形成されたことを特徴とする、導光機能を具えた自動車ドア框用マットとしている。
請求項５の考案は、請求項１記載の導光機能を具えた自動車ドア框用マットにおいて、シールカバーは金属板で一体成形され、導光板と同じ形状で僅かに大きい面積の底板を具え、底板の四周が直立する短薄壁とされ、十分に透光板、拡散膜、導光板を包容、固定し、シリコーン樹脂で表板の下方が防水、密封され、シールカバーの底板と短薄壁が導光板外部の反射材料とされて光源の散逸が防止されたことを特徴とする、導光機能を具えた自動車ドア框用マットとしている。
【考案の効果】
【０００９】
本考案は発光機能及びその発生する効果上、前述の特許文献１の代わりに採用でき、且つＬＥＤはＥＬ冷光板に較べて長い寿命と良好な抗潮性を有する。本考案が周知のＬＥＤ自動車ドア框用マット（図１）に対して有する導光集光屈折の技術は、同じ輝度効果下で大量にＬＥＤの使用量を減らすことができ、創造性と新規性を具えている。
【考案を実施するための最良の形態】
【００１０】
図２の分解図、及び図３の端部縦断面図を参照されたい。本考案は構成上、順に、マット表面の文字型穿孔１１を具えた不透光の表板１０、突出文字型２１を具えた透光板２０、導電材料が配置された拡散膜３０、導光板４０、シールカバー５０を具え、該導光板４０の両端に少数の発光ダイオード４１が嵌め込まれてなる光源体４２、４２’があり、底部に文字型に対応する反射毛面４５がある。
【００１１】
図７に示されるのは上述の部品を上から下に組み合わせてなる製品であり、自動車ドア框に取り付けられ、ＤＣ１２Ｖ電源導入後に、マットの表板１０が発光する突出文字型２１を形成する。
【００１２】
表板１０は薄い金属板或いはプラスチック板の一体成形により自動車ドア框用マットを形成し、該表板の面上に特定の文字型或いは図形の穿孔１１が設けられている。
【００１３】
透光板２０は透光プラスチック材料を一体成形してなり、表面に穿孔１１に対応しそれを通過して表板１０表面に突出する突出文字型２１が設けられ、透光板２０の板体下方両端に下向きに突出する位置決めピン２２が設けられて拡散膜３０と導光板４０を貫通し位置決めを行ない、並びに組立後に位置決めピン２２の突出する端部は加熱溶融させられ固定ヘッドが形成される。
【００１４】
図３及び図４に示されるように、拡散膜３０は透光板２０と導光板４０の間に置かれ、導光板４０の反射光点を拡散し、面状の発光エリアを形成する。拡散膜３０の四つの角部に位置決め孔３２が設けられて位置決めピン２２が通される。底面両側にそれぞれ１本の導電材料３１が設けられ、該導電材料３１は拡散膜３０底面を縦貫し、導電材料３１の両端が導光板４０両端の光源体４２、４２’の電気接点４６と導通し、電源４４は一端の光源体４２よりもう一端の光源体４２’に伝導され、両者の間の電線による接続は不要であるため組立の効率が上がる。導電材料３１の両端は導電媒体３３（例えば導電両面テープ或いは導電接着剤）により電気的に接続され並びに良好な接触導通効果を有する（図３の拡大図参照）。
【００１５】
図２に示されるように、導光板４０の底面の突出文字型２１に対応する位置、及び形状に、反射毛面４５が設けられ、該反射毛面４５は細微な凸粒或いは凹孔が密集して配列されて面状とされ並びに突出文字型の位置に対応する。或いは導光インクをスクリーン印刷して導光板４０の底面にマトリックス状或いは網状に印刷し、並びに突出文字型２１に対応する反射毛面となしたものとする。並びに反射毛面４５は設計上、光源体４２、４２’に近い部分（輝度が高い）ほど毛点が疎（集光量が低い）であり、光源体４２、４２’より離れたところ（輝度が低い）ほど毛点が密（集光量が高い）である。これにより各文字型の輝度の平衡がとれるようにする。図中に示される文字「ＢＬＵＥＳＴＡＲ」を例に挙げると、文字列の両端に位置するＢとＲの反射毛面４５の毛点密度は最低で、中心のＥとＳの反射毛面４５の毛点密度は最高である。
【００１６】
図４の局部分解図に示されるように、導光板４０の両端には光源体４２を嵌め込む凹溝４８が設けられ、凹溝４８の壁面に光源体４２の発光ダイオード４１に対応する導光曲面４９が設けられ、凹溝４８の両側に凸アーム４７が設けられ、並びに位置決め孔４３’が設けられて光源体４２の穿孔４３に対応し、位置決めピン２２を通すのに供される。
【００１７】
前記シールカバー５０は薄い金属板で一体成形され、導光板４０と同じ形状で僅かに面積が大きい底板５１を具え、周囲が直立する短薄壁５２とされ、上述の透光板２０、拡散膜３０、導光板４０を包容固定でき、並びにシリコーン樹脂５３で表板１０下方が防水密封される。シールカバー５０の底板５１と短薄壁５２は導光板４０外部の反射材料として充当されうる。
【００１８】
図３と図４は側方向投光式の光源体４２（発光ダイオード４１が辺端より側方向に投光する）を示し、図５と図６は正面投光式の光源体４２ａ（発光ダイオード４１ａが表面で正面に透光する）。その使用するランプ構造はやや違いがあるが、達成する効果は同じである。
【００１９】
両端に位置する光源体４２、４２’が両端より導光板４０に対して光線を投射する時、該光線は導光板４０内でほぼ遮られることなく行進し並びに阻止と屈折を受けず、辺縁端部に至った光線はシールカバー５０に反射されて導光板４０内に戻る（内部の透光率は良好であり、表面は光沢があり滑らかで、周囲辺縁がシールカバー５０で包囲されて反射されるため光源は外部に漏れない）、光線は反射毛面４５のあるエリアに至った時に集光屈折の現象を発生する。発生した集光は全部の表面の突出文字型２１を現出させる。こうして、光源の利用率を高めると共に最大の文字型発光効果を達成する。
【図面の簡単な説明】
【００２０】
【図１】周知の技術の立体分解図である。
【図２】本考案の立体分解図である。
【図３】本考案の端部縦断面図である。
【図４】本考案の局部分解図である。
【図５】本考案の別の実施例の端部縦断面図である。
【図６】本考案の別の実施例の局部分解図である。
【図７】本考案の外観図である。
【符号の説明】
【００２１】
１０  表板                  ４２、４２’  光源体
１１  穿孔                  ４３、４３’  位置決め孔
２０  透光板                ４４  電源
２１  突出文字型            ４５  反射毛面
２２  位置決めピン          ４６  電気接点
３０  拡散膜                ４７  凸アーム
３１  導電材料              ４８  凹溝
３２  位置決め孔            ５０  シールカバー
３３  導電媒体              ５１  底板
４０  導光板                ５２  短薄壁
４１  発光ダイオード        ５３  シリコーン樹脂
【図１】
0003103437.tif 000003
【図２】
0003103437.tif 000004
【図３】
0003103437.tif 000005
【図４】
0003103437.tif 000006
【図５】
0003103437.tif 000007
【図６】
0003103437.tif 000008
【図７】
0003103437.tif 000009